(57)【要約】【課題】分析条件を一時的に変更して分析を行いたい場合に、分析終了後にオペレータが分析条件を変更前の値に戻す作業をする必要があり、値の設定ミスや作業忘れ等が起き易い。【解決手段】ユーザ毎にユーザＩＤに対応付けてそれぞれ使用権限Ｒ１、Ｒ２、Ｒ３を予め設定しておく。ユーザがログインした後（Ｓ１〜Ｓ３）、別電源によりバックアップされた第１メモリから第２メモリへと分析条件データをコピーし（Ｓ４）、使用権限Ｒ１でログインしたユーザには分析条件の変更操作に応じて第１、第２メモリともにデータを書き換え、一方、使用権限Ｒ２でログインしたユーザには分析条件の変更操作に応じて第２メモリのみのデータ書換えを許可する（Ｓ５〜Ｓ１０）。これにより、使用権限Ｒ２のユーザが分析条件を変更して分析した後に何ら作業を行わなくても、他の者による次の分析時には変更前の分析条件データが使用される。【選択図】  図３
2004309249.tif 000002
【特許請求の範囲】
【請求項１】
ａ）分析条件データを記憶するための記憶手段であって、主電源を遮断しても情報を保持し得る読み出し・書き込み自在の第１記憶手段と、
ｂ）分析動作に先立って前記第１記憶手段に記憶されている分析条件を読み込んで一時的に保持する第２記憶手段と、
ｃ）必要に応じて分析条件を入力設定又は変更するための入力手段と、
ｄ）当該分析装置の使用権限を複数段階に設定する権限設定手段と、
ｅ）該権限設定手段により設定される第１の使用権限の下では、前記入力手段により入力設定又は変更された分析条件を第１及び第２記憶手段の双方に記憶させ、第２の使用権限の下では、前記入力手段により入力設定又は変更された分析条件を第２記憶手段にのみに記憶させる分析条件設定手段と、
ｆ）前記第２記憶手段に記憶されている分析条件に基づいて分析動作を制御する分析制御手段と、
を備えることを特徴とする分析装置。
【請求項２】
前記権限設定手段は、使用者がログイン操作を行う際にそのログイン情報に基づいて使用権限を設定することを特徴とする請求項１に記載の分析装置。
【発明の詳細な説明】
【０００１】
【発明の属する技術分野】
本発明は、液体クロマトグラフを初めとする分析装置に関する。
【０００２】
【従来の技術】
液体クロマトグラフ等の各種分析装置では、分析に先立って各種の分析条件パラメータを入力設定すると、その分析条件パラメータは装置内部のメモリに記憶され、そのパラメータに従って分析動作が遂行される。例えば液体クロマトグラフにおいては、移動相を流すための送液ポンプの圧力（送液流量）、カラムオーブンの温度などが分析条件パラメータである（例えば特許文献１など参照）。
【０００３】
通常、分析条件パラメータは一時的な記憶素子であるＲＡＭに記憶されるが、ほぼ常時同一の分析条件パラメータを用いて分析を行うような用途では、分析装置を起動させる度に分析条件パラメータを一々設定するのは面倒である。そこで、主電源遮断時にもバッテリ等の別電源によりバックアップされた記憶素子に分析条件パラメータを記憶させておき、次にその分析装置が起動された際にはその記憶素子に記憶されている分析条件パラメータを初期値（デフォルト値）とするような装置がある。こうした装置では、分析条件パラメータが変更されたとき、或いは主電源が遮断されたときに、バックアップされた記憶領域に分析条件パラメータを記憶させるようにしている。
【０００４】
【特許文献１】
特開平９−２７４０２８号公報（段落００１４〜００１９）
【０００５】
【発明が解決しようとする課題】
こうした分析装置を用いた分析に際して、一時的に分析条件を変更して分析を実行したいような場合がある。例えば、或るオペレータが他のオペレータが定常的に使用している分析装置を一時的に借用して分析を行う場合や、サービス担当者が顧客の保有している分析装置を使用して分析を行う場合などである。そうした場合には、その分析装置を使用しようとする者は、変更前の分析条件を覚えておき或いは書き留めておき、分析条件を変更して分析を行った後に分析条件を変更前の値に戻すという作業を行う必要がある。
【０００６】
しかしながら、使用者の記憶違いによって元の分析条件とは異なる分析条件が設定されてしまったり、使用者が一時的に変更した分析条件を元に戻す作業自体を忘れてしまったりするおそれがある。こうした事態が生じると、その分析装置を用いた次の分析時に、適切でない分析条件の下で分析が実行されてしまい、分析が無駄になって作業効率が低下する可能性があった。
【０００７】
本発明はかかる課題に鑑みて成されたものであり、その目的とするところは、分析条件の一時的な変更を行う必要がある場合でもそれに伴う面倒な作業を軽減するとともに、それによって発生する恐れのある不具合を防止することができる分析装置を提供することにある。
【０００８】
【課題を解決するための手段、及び効果】
上記課題を解決するために成された本発明に係る分析装置は、
ａ）分析条件データを記憶するための記憶手段であって、主電源を遮断しても情報を保持し得る読み出し・書き込み自在の第１記憶手段と、
ｂ）分析動作に先立って前記第１記憶手段に記憶されている分析条件を読み込んで一時的に保持する第２記憶手段と、
ｃ）必要に応じて分析条件を入力設定又は変更するための入力手段と、
ｄ）当該分析装置の使用権限を複数段階に設定する権限設定手段と、
ｅ）該権限設定手段により設定される第１の使用権限の下では、前記入力手段により入力設定又は変更された分析条件を第１及び第２記憶手段の双方に記憶させ、第２の使用権限の下では、前記入力手段により入力設定又は変更された分析条件を第２記憶手段にのみに記憶させる分析条件設定手段と、
ｆ）前記第２記憶手段に記憶されている分析条件に基づいて分析動作を制御する分析制御手段と、
を備えることを特徴としている。
【０００９】
この発明に係る分析装置では、分析動作に先立って第１記憶手段に記憶されている分析条件が第２記憶手段に読み込まれ、分析制御手段はこの第２記憶手段に保持されている分析条件データに基づいて分析動作を制御するから、入力手段により分析条件の入力設定や変更などが行われない場合には、もともと第１記憶手段に保持されていた分析条件に従って分析動作が実行される。一方、使用者が入力手段から分析条件を入力設定した場合又は分析条件を変更した場合には、分析条件設定手段は、権限設定手段により設定される使用権限に応じて、第１の使用権限が設定されている場合には、入力手段により入力設定又は変更された分析条件を第１及び第２記憶手段の双方に記憶させ、第２の使用権限が設定されている場合には、入力手段により入力設定又は変更された分析条件を第２記憶手段にのみに記憶させる。従って、第１、第２のいずれの使用権限の下でも、そのときの分析動作に使用される分析条件は入力手段により入力設定又は変更されたものとなるが、第２の使用権限が設定されている場合には、第１記憶手段の記憶内容は書き換えられないため元の分析条件データが残る。
【００１０】
このように本発明に係る分析装置によれば、使用者が入力手段により分析条件を変更した場合に、その使用権限によっては（具体的には第２の使用権限である場合には）変更した分析条件はそのときの分析には適用されるものの、それ以後には適用されない。それにより、一時的に分析装置を借用して分析を行いたい場合にはそうした特定の使用権限で以て分析を行うようにすれば、所望のように分析条件を変更して分析を実行した後に何らの操作を行わなくとも、他の使用者が次にその分析装置を利用する際に、分析条件は元の変更前の状態に復帰する。そのため、そうした一時的な使用者が自ら分析条件を元に戻す作業が不要になり、また或る使用者が分析を行おうとする際に別の使用者が変更してしまった不適切な分析条件で以て分析を行ってしまうといったミスも防止することができる。
【００１１】
また、本発明の一実施態様として、前記権限設定手段は、使用者がログイン操作を行う際にそのログイン情報に基づいて使用権限を設定する構成とすることが好ましい。この構成によれば、或る使用者が分析装置を利用するためにログイン操作を行うことによって使用権限が定まるので、使用者にとっては何ら面倒で煩雑な手間をとらず、しかも確実に使用者毎に適宜定めた使用権限に応じた制御が可能となる。
【００１２】
【発明の実施の形態】
以下、本発明の一実施例である分析装置について図１〜図４を参照しつつ説明する。図１はこの本実施例による分析装置の要部のブロック構成図である。
【００１３】
分析部１７は例えば液体クロマトグラフやガスクロマトグラフ等であって、その動作は制御部１０により制御される。制御部１０はＣＰＵを中心に構成されており、第１メモリ１３、第２メモリ１５、ユーザ登録部１６、キーボードなどを含む入力部１１、液晶ディスプレイなどの表示部１２等が接続されている。
【００１４】
本発明における第２記憶手段である第２メモリ１５は通常のＲＡＭであり、この分析装置の主電源がオフされるとその記憶内容は消滅する。他方、本発明における第１記憶手段である第１メモリ１３は、バックアップ電源１４により本分析装置の主電源オフ時にも記憶内容がバックアップされる。なお、電源１４によりバックアップされたＲＡＭの代わりに、電気的にデータの書き換えが可能であって電源を遮断してもその記憶内容が保持されるフラッシュメモリなどを採用してもよい。ユーザ登録部１６は予め設定されたユーザＩＤ、パスワード、及び使用権限を１組としたユーザ情報を格納したユーザテーブル１６ａを有している。
【００１５】
この使用権限とは、各ユーザ毎に本分析装置において分析条件の変更の権限をどの程度与えるかを定めたものであり、本例では図２に示すＲ１、Ｒ２、Ｒ３の３種類の使用権限が定められている。即ち、Ｒ１は分析条件の変更を許可し且つその変更後の分析条件をそれ以降の分析で常に有効とする（つまりバックアップする）もの（本発明における第１の使用権限に相当）、Ｒ２は分析条件の変更を一時的に許可するが、その変更はその分析のみに有効とするもの（本発明における第２の使用権限に相当）、Ｒ３は分析条件の変更を一時的でも許可しない（分析作業のみ可能）ものである。なお、この使用権限の付与は例えばこの分析装置の管理者などが行うようにするとよい。
【００１６】
次に、本分析装置における特徴的な動作について図３及び図４を参照して説明する。図３はこの動作処理の手順を示すフローチャート、図４は各動作状態のときの第１、第２メモリ１３、１５の記憶内容を模式的に示した図である。
【００１７】
或るオペレータがこの分析装置で分析を行おうとする場合、まず入力部１１で所定の操作を行うと、この操作を受けた制御部１０は、表示部１２の画面上にログイン画面を表示させる（ステップＳ１）。このログイン画面にはユーザＩＤとパスワードの入力画面が表示され、オペレータは入力部１１から予め登録してあるユーザＩＤとパスワードとを入力する（ステップＳ２）。
【００１８】
この入力を受けた制御部１０はユーザ登録部１６に対してこのユーザの認証を要求し（ステップＳ３）、該当するユーザＩＤとパスワードとの組がユーザテーブル１６ａに存在しない場合には、ログインを拒否し、ステップＳ１へと戻る。他方、該当するユーザＩＤとパスワードとの組がユーザテーブル１６ａに存在する場合には、ログインを許可し、第１メモリ１３に格納されている分析条件データを読み出して第２メモリ１５に上書きする（ステップＳ４）。
【００１９】
即ち、図４（ａ）に示すようにこの分析装置の主電源が投入されたときの状態では、バックアップされている第１メモリ１３では分析条件データ＃ＬＣ１が記憶されている一方、第２メモリ１５の記憶内容は不定である。この状態から、上述したようにログインが実行されると、分析条件データ＃ＬＣ１が第２メモリ１５にもコピーされてデータが確定する。なお、ユーザＩＤと使用権限とは対応しているから、ログインが許可された時点でこのログイン中の分析に関する使用権限も定まる。
【００２０】
こうして第２メモリ１５に格納された分析条件データは、入力部１１で所定の操作を行うことで表示部１２の画面に表示させることができる。オペレータはこの分析条件を確認し、必要に応じて分析条件を変更する操作を行う（ステップＳ５）。制御部１０はこの操作を受けると、そのユーザの使用権限がＲ３であるか否かを判定する（ステップＳ６）。使用権限がＲ３である場合には、分析条件の変更操作を全く受け付けないから、変更を拒否し（ステップＳ８）、ステップＳ１１へ進む。
【００２１】
他方、ステップＳ６で使用権限がＲ１又はＲ２である場合には、変更すべく入力された分析条件を第２メモリ１５中の分析条件データに上書きする（ステップＳ７）。つまり、第２メモリ１５中の分析条件データを変更する。次に、制御部１０は使用権限がＲ１であるか否かを判定し（ステップＳ９）、使用権限がＲ１である場合には、第２メモリ１５に新たに書き込んだ分析条件データを第１メモリ１３にもコピー（上書き）し（ステップＳ１０）、使用権限がＲ１でない場合にはステップＳ１０の処理を回避する。
【００２２】
これにより、使用権限がＲ２である場合には、図４（ｃ）に示すように第２メモリ１５のみが変更後の分析条件データ＃ＬＣ２となり、第１メモリ１３には変更前の分析条件データ＃ＬＣ１が残る。一方、使用権限がＲ１である場合には、図４（ｄ）に示すように第１メモリ１３、第２メモリ１５共に変更後の分析条件データ＃ＬＣ２となる。
【００２３】
その後、オペレータにより分析開始の指示が行われると、第２メモリ１５つまりワークメモリに記憶されている分析条件データに従って分析を実行する（ステップＳ１１）。この実施例では、分析が終了するまではステップＳ１２からＳ５へと戻るから、分析実行中であっても分析条件を変更することが可能であるが、分析開始後は分析条件の変更を行えないようにしてもよい。いずれにしても、使用権限がＲ３以外である場合には、分析条件の変更操作が第２メモリ１５中の分析条件データに反映され、使用権限がＲ１である場合には、更にバックアップされた第１メモリ１３中の分析条件データにも分析条件の変更操作が反映されることになる。そして、使用権限がＲ１又はＲ２である場合には、変更された分析条件データに従って分析が遂行される。
【００２４】
分析が終了し（ステップＳ１２でＹＥＳ）、オペレータが所定のログオフ操作を行うと（ステップＳ１３）、そのオペレータによる分析処理は終了する。オペレータがログインする度に上記ステップＳ４によって第１メモリ１３から第２メモリ１５へと分析条件データがコピーされるので、或る分析が終了してログオフされた時点で第１メモリ１３に格納されている分析条件データが次の分析開始時の分析条件データの初期値、つまり第２メモリ１５に最初に設定される値になる。
【００２５】
一般には、この分析装置を一時的に使用することができるオペレータ或いはサービス担当者等には使用権限Ｒ２が与えられる。即ち、その分析に限り分析条件の変更は可能であるものの、その分析が終了したならばその変更後の分析条件は保存されない、という権限である。こうした権限を持ってログインする使用者は、分析条件をいくら変更してもそれが他の使用者に影響を及ぼすことはないから、後で分析条件の設定値を元に戻す手間が省け、それだけ分析に集中することができる。また、分析条件が他の者によって変更されてしまっているのに気づかずに、不適当な分析条件の下で分析を実行してしまうというミスも軽減できる。
【００２６】
なお、上記実施例ではログイン画面でユーザＩＤを入力することにより、そのユーザＩＤに対応して使用権限が決まる構成となっているが、ユーザＩＤとは無関係に使用権限を設定又は選択できるようしてもよい。
【００２７】
また、その分析装置に予め用意された複数の動作モードに対応して使用権限を設定するようにしてもよい。その場合の制御フローチャートの一例を図５に示す。この例では、分析装置の主電源がオフした状態から電源を投入して立ち上げ操作を行う際に、特殊なキー操作（例えば複数のキースイッチの同時押しや長時間押しなど）を行うと（ステップＳ２０でＹＥＳ）、通常の分析動作モードとは異なるテストモードに移行する（ステップＳ２４）。このテストモードは例えばサービス担当者などが故障診断などを行うためのモードで、その場合には使用権限をＲ２と定める（ステップＳ２５）。一方、通常の分析動作モードで起動された場合には（ステップＳ２１）、使用権限をＲ１と定める（ステップＳ２２）。このようにして、テストモードでは分析条件の一時的な変更は可能であるものの、その変更は第１メモリ１３の記憶データには影響を与えず、変更した分析条件データを分析終了時に元に戻す等の作業は不要である。
【００２８】
なお、上記実施例はいずれも本発明の一実施例であり、本発明の趣旨の範囲で適宜変更、修正、追加が行えることは明らかである。
【図面の簡単な説明】
【図１】本発明の一実施例である分析装置の要部のブロック構成図。
【図２】本実施例の分析装置を使用するユーザの使用権限の一例を示す図。
【図３】本実施例の分析装置の特徴的な動作を示す制御フローチャート。
【図４】図４の処理動作を説明する模式図。
【図５】本発明の他の実施例による分析装置の特徴的な動作を示す制御フローチャート。
【符号の説明】
１０…制御部
１１…入力部
１２…表示部
１３…第１メモリ
１４…バックアップ電源
１５…第２メモリ
１６…ユーザ登録部
１７…分析部
【図１】
2004309249.tif 000003
【図２】
2004309249.tif 000004
【図３】
2004309249.tif 000005
【図４】
2004309249.tif 000006
【図５】
2004309249.tif 000007